(57)【要約】【課題】機械式立体駐車場内で誤警報を行ってしまうことが防止できる車両盗難防止システムを提供する。【解決手段】車両の上下方向の加速度を検出できる加速度センサ１ｃを備え、この加速度センサ１ｃの検出出力から求められる車両の上下方向の加速度の物理値から、機械式立体駐車場に車両を駐車してあるか否かを求める。そして、機械式立体駐車場による上下移動によって車両の上下方向の加速度が発生した場合には、車両の前後方向もしくは左右方向の加速度が発生したとしても、車両の盗難の恐れが無いもの判定する。これにより、機械式立体駐車場内で車両が移動させられたときに、盗難の恐れがあるものとして誤警報を行ってしまうことを防止することが可能となる。【選択図】図１
2007099189.tif 000002
【特許請求の範囲】
【請求項１】
車両の水平方向における少なくとも一方向の加速度を検出する傾斜検出用の加速度センサ（１ａ、１ｂ）と、
前記傾斜検出用の加速度センサ（１ａ、１ｂ）の検出出力に基づいて車両の傾斜を検出し、傾斜を検出したときに車両の盗難の恐れがあるものとして、駆動信号を発生させる制御手段（１ｄ、５）と、
前記制御手段（１ｄ、５）が発生させた前記駆動信号に基づき、前記車両の盗難の恐れがあることを警報する警報手段（６）とを備えてなる車両盗難防止システムにおいて、
前記制御手段（１ｄ、５）は、前記車両の上下方向の加速度を検出する上下移動検出用の加速度センサ（１ｃ、７）からの検出出力を受け、該検出出力に基づいて前記車両の上下移動を検出し、前記車両の上下移動を検出したときには、前記警報手段（６）による警報を出さないことを特徴とする車両盗難防止システム。
【請求項２】
車両のドアのロックおよびアンロック状態の検出を行うロック状態検出手段（２）と、
前記車両の水平方向における少なくとも一方向の加速度を検出する傾斜検出用の加速度センサ（１ａ、１ｂ）と、
前記傾斜検出用の加速度センサ（１ａ、１ｂ）の検出出力に基づいて車両の傾斜を検出し、傾斜を検出したときに車両の盗難の恐れがあるものとして、駆動信号を発生させる制御手段（１ｄ、５）と、
前記ロック状態検出手段（２）によって前記ドアがロック状態のときに、前記制御手段（１ｄ、５）が発生させた前記駆動信号に基づき、前記車両の盗難の恐れがあることを警報する警報手段（６）とを備えてなる車両盗難防止システムにおいて、
前記制御手段（１ｄ、５）は、前記車両の上下方向の加速度を検出する上下移動検出用の加速度センサ（１ｃ、７）からの検出出力を受け、該検出出力に基づいて前記車両の上下移動を検出し、前記車両の上下移動を検出したときには、前記ロック状態検出手段（２）によって前記ドアがアンロック状態であることが検出されるまで、前記警報手段（６）による警報を出さないことを特徴とする車両盗難防止システム。
【請求項３】
前記制御手段（１ｄ、５）は、前記上下移動検出用の加速度センサ（１ｃ、７）からの検出出力が一定時間上下方向の加速度を検出しなかった場合、前記ロック状態検出手段（２）で前記ドアがアンロック状態になったことが検出されなくても、前記警報手段（６）による警報を出すことを特徴とする請求項２に記載の車両盗難防止システム。
【請求項４】
前記制御手段（１ｄ、５）は、第１制御手段（１ｄ）および第２制御手段（５）を有した構成とされ、
前記第１制御手段（１ｄ）、前記上下移動検出用の加速度センサ（１ｃ）および前記傾斜検出用の加速度センサ（１ａ、１ｂ）によって傾斜センサ（１）が構成されており、
前記第１制御手段（１ｄ）は、前記傾斜検出用の加速度センサ（１ａ、１ｂ）の検出出力に基づいて前記車両の傾斜を検出し、かつ、前記上下移動検出用の加速度センサ（１ｃ）の検出出力に基づいて前記車両の上下移動を検出しなかったときに、盗難の恐れがあることを示す信号を前記第２制御手段（５）に出力し、前記傾斜検出用の加速度センサ（１ａ、１ｂ）の検出出力に基づいて前記車両の傾斜を検出しても、前記上下移動検出用の加速度センサ（１ｃ）の検出出力に基づいて前記車両の上下移動を検出したときには、盗難の恐れがあることを示す信号を前記第２制御手段（５）に出力しないようになっており、
前記第２制御手段（５）は、前記第１制御手段（１ｄ）から前記盗難の恐れがあることを示す信号を受け取ったときに、前記警報手段（６）に向けて前記駆動信号を出力するようになっていることを特徴とする請求項１ないし３のいずれか１つに記載の車両盗難防止システム。
【請求項５】
前記制御手段（１ｄ、５）は、第１制御手段（１ｄ）および第２制御手段（５）を有した構成とされ、
前記第１制御手段（１ｄ）、前記上下移動検出用の加速度センサ（１ｃ）および前記傾斜検出用の加速度センサ（１ａ、１ｂ）によって傾斜センサ（１）が構成されており、
前記第１制御手段（１ｄ）は、前記傾斜検出用の加速度センサ（１ａ、１ｂ）および前記上下移動検出用の加速度センサ（１ｃ）の検出出力に基づいて、前記車両の水平方向における少なくとも一方向の加速度と上下方向の加速度の情報を示す信号を前記第２制御手段（５）に出力し、
前記第２制御手段（５）は、前記車両の水平方向における少なくとも一方向の加速度と上下方向の加速度の情報に基づいて、前記警報手段（６）に向けて前記駆動信号を出力するか否かを判定するようになっていることを特徴とする請求項１ないし３のいずれか１つに記載の車両盗難防止システム。
【請求項６】
前記制御手段（１ｄ、５）は、第１制御手段（１ｄ）および第２制御手段（５）を有した構成とされ、
前記第１制御手段（１ｄ）および前記傾斜検出用の加速度センサ（１ａ、１ｂ）によって傾斜センサ（１）が構成され、
前記上下移動検出用の加速度センサ（７）は前記傾斜センサ（１）の外部に設けられており、
前記第１制御手段（１ｄ）は、前記傾斜検出用の加速度センサ（１ａ、１ｂ）の検出出力に基づいて前記車両の傾斜を検出しときに、盗難の恐れがあることを示す信号を前記第２制御手段（５）に出力し、
前記第２制御手段（５）は、前記上下移動検出用の加速度センサ（１ｃ）の検出出力に基づいて前記車両の上下移動を検出していないければ、前記第１制御手段（１ｄ）が盗難の恐れがあることを示す信号を出力したときに前記警報手段（６）に向けて前記駆動信号を出力し、前記車両の上下移動を検出したときには、前記第１制御手段（１ｄ）が盗難の恐れがあることを示す信号が出力していたとしても前記警報手段（６）に向けて前記駆動信号を出力しないようになっていることを特徴とする請求項１ないし３のいずれか１つに記載の車両盗難防止システム。
【請求項７】
前記制御手段（１ｄ、５）は、第１制御手段（１ｄ）および第２制御手段（５）を有した構成とされ、
前記第１制御手段（１ｄ）および前記傾斜検出用の加速度センサ（１ａ、１ｂ）によって傾斜センサ（１）が構成されており、
前記上下移動検出用の加速度センサ（７）は前記傾斜センサ（１）の外部に設けられ、該上下移動検出用の加速度センサ（７）の検出出力が前記第１制御手段（１ｄ）に入力されるようになっており、
前記第１制御手段（１ｄ）は、前記傾斜検出用の加速度センサ（１ａ、１ｂ）および前記上下移動検出用の加速度センサ（１ｃ）の検出出力に基づいて、前記車両の水平方向における少なくとも一方向の加速度と上下方向の加速度の情報を示す信号を前記第２制御手段（５）に出力し、
前記第２制御手段（５）は、前記車両の水平方向における少なくとも一方向の加速度と上下方向の加速度の情報に基づいて、前記警報手段（６）に向けて前記駆動信号を出力するか否かを判定するようになっていることを特徴とする請求項１ないし３のいずれか１つに記載の車両盗難防止システム。
【請求項８】
前記傾斜センサ（１）とは異なる盗難センサ（３）が備えられ、
前記第２制御手段（５）は、前記盗難センサ（３）の検出出力を受け取り、該盗難センサ（３）の検出出力が盗難の恐れがあることを示すものであったとしても、前記第１制御手段（１ｄ）から送られる信号が前記車両の上下移動を検出したことを示すものであるときには、前記第２制御手段（５）は前記警報手段（６）による警報を出さないことを特徴とする請求項５ないし７のいずれか１つに記載の車両盗難防止システム。
【請求項９】
車両の水平方向における少なくとも一方向の加速度を検出する傾斜検出用の加速度センサ（１ａ、１ｂ）と、
前記傾斜検出用の加速度センサ（１ａ、１ｂ）の検出出力に基づいて車両の傾斜を検出し、傾斜を検出したときに車両の盗難の恐れがあることを示す信号を出力する第１制御部（１ｄ）と、
前記車両の上下方向の加速度を検出する上下移動検出用の加速度センサ（１ｃ、７）と、
前記上下移動検出用の加速度センサ（１ｃ、７）の検出出力を受け取ると共に、前記第１制御部（１ｄ）が出力する信号を受け取り、これらに基づいて駆動信号を発生させる第２制御手段（５）と、
前記第２制御手段（５）が発生させた前記駆動信号に基づき、前記車両の盗難の恐れがあることを警報する警報手段（６）とを備え、
前記第２制御手段（５）は、前記上下移動検出用の加速度センサ（１ｃ、７）からの検出出力に基づいて前記車両の上下移動を検出したときには、前記警報手段（６）による警報を出さないことを特徴とする車両盗難防止システム。
【請求項１０】
前記上下移動検出用の加速度センサ（７）は車内ＬＡＮに接続され、該車内ＬＡＮを通じて前記上下移動検出用の加速度センサ（７）の検出出力が前記第２制御部（５）に入力されることを特徴とする請求項９に記載の車両盗難防止システム。
【請求項１１】
前記上下移動検出用の加速度センサ（７）は、サスペンション制御用のものであることを特徴とする請求項９または１０に記載の車両盗難防止システム。
【発明の詳細な説明】
【技術分野】
【０００１】
本発明は、加速度センサを用いてジャッキアップによる車両の傾斜を検出して警報することで、車両の盗難防止を行う車両盗難防止システムに関するものである。
【背景技術】
【０００２】
従来より、侵入、窓ガラス破損、ジャッキアップなどによって車両が盗難されることを防止する車両盗難防止システムが実用化されつつある（例えば、特許文献１参照）。このうち、ジャッキアップに関しては、加速度センサの検出軸を地面と平行に設置し、加速度センサが地球の重力加速度を検知することで車両の傾きを検知する「傾斜センサ」を備えた車両盗難防止システムが実用化されている。
【特許文献１】特開２００３−３４２３３号公報
【発明の開示】
【発明が解決しようとする課題】
【０００３】
上述した傾斜センサは、地面の上に駐車している車両がジャッキアップによって盗難されるのを検知するものである。このため、タワーパーキングのような機械式の立体駐車場においては、ジャッキアップによる車両盗難などを想定する必要がない。
【０００４】
しかしながら、加速度センサを使った傾斜センサの場合、機械式立体駐車場内で水平方向に移動した場合に車両に発生する加速度と車両の傾斜による地球の重力加速度を区別することができない。
【０００５】
また、機械式立体駐車場内で車両を載せる籠が、機械式立体駐車場内の停止している場所で傾きが変わる可能性があり、このような傾きも傾斜センサで検知されてしまう。
【０００６】
これに対し、上記特許文献１に記載の盗難検知装置では、検知解除のスイッチを設け、ユーザーがそのスイッチを操作することで盗難検知を解除し、立体駐車場での誤警報を防止している。ところが、立体駐車場を利用する度にスイッチ操作を行わなければならず、自宅の駐車場が集合住宅の立体駐車場の場合などのように操作頻度が多くなると煩雑であるし、その反面、操作頻度が少ないとスイッチ操作自体を忘れてしまって結局誤警報を防げなくなるという問題がある。
【０００７】
本発明は上記点に鑑みて、機械式立体駐車場内で誤警報を行ってしまうことが防止できる車両盗難防止システムを提供することを目的とする。
【課題を解決するための手段】
【０００８】
上記目的を達成するため、本発明の第１の特徴によれば、制御手段（１ｄ、５）は、車両の上下方向の加速度を検出する上下移動検出用の加速度センサ（１ｃ、７）からの検出出力を受け、該検出出力に基づいて車両の上下移動を検出し、車両の上下移動を検出したときには、警報手段（６）による警報を出さないようにしている。
【０００９】
このように、上下移動検出用の加速度センサ（１ｃ、７）からの検出出力に基づいて車両の上下方向の加速度が検出されたときには、機械式立体駐車場による上下移動によって車両の上下方向の加速度が発生したものと考えられる。このため、この場合には車両が機械式立体駐車場に駐車してあるものとして、警報をやめるようにすることで、機械式立体駐車場内で車両が移動させられたときに、盗難の恐れがあるものとして誤警報を行ってしまうことを防止することが可能となる。
【００１０】
また、本発明の第２の特徴によれば、車両の上下移動を検出したときには、ロック状態検出手段（２）によってドアがアンロック状態であることが検出されるまで、警報手段（６）による警報を出さないようにしている。
【００１１】
このように、車両の上下移動を検出したときには、機械式立体駐車場内にあるものとして、車両がドアがアンロック状態となるまで警報を出さないようにすることもできる。
【００１２】
ただし、このような場合においても、上下移動検出用の加速度センサ（１ｃ、７）からの検出出力が一定時間上下方向の加速度を検出しなかった場合には警報を出すようにすることで、誤って上下移動が検出されたことによって警報が行われなくなることを防止することができる。
【００１３】
上記のような本発明の第１、第２の特徴において、制御手段（１ｄ、５）は、例えば、傾斜検出用の加速度センサ（１ａ、１ｂ）の検出出力に基づく車両の傾斜の検出を継続しつつ、傾斜が検出されても車両の上下方向の加速度も検出された場合には警報を行わないようにするという形態と、車両の傾斜の検出そのものを止めるという形態のいずれも採用できる。
【００１４】
また、制御手段（１ｄ、５）を第１制御手段（１ｄ）および第２制御手段（５）を有した構成とし、第１制御手段（１ｄ）、上下移動検出用の加速度センサ（１ｃ）および傾斜検出用の加速度センサ（１ａ、１ｂ）によって傾斜センサ（１）を構成することができる。
【００１５】
この場合、第１制御手段（１ｄ）にて、傾斜検出用の加速度センサ（１ａ、１ｂ）の検出出力に基づいて車両の傾斜を検出し、かつ、上下移動検出用の加速度センサ（１ｃ）の検出出力に基づいて車両の上下移動を検出しなかったときに、盗難の恐れがあることを示す信号を第２制御手段（５）に出力し、傾斜検出用の加速度センサ（１ａ、１ｂ）の検出出力に基づいて車両の傾斜を検出しても、上下移動検出用の加速度センサ（１ｃ）の検出出力に基づいて車両の上下移動を検出したときには、盗難の恐れがあることを示す信号を第２制御手段（５）に出力しないようにする。そして、第２制御手段（５）にて、第１制御手段（１ｄ）から盗難の恐れがあることを示す信号を受け取ったときに、警報手段（６）に向けて駆動信号を出力するという形態にできる。
【００１６】
さらに、この場合、第１制御手段（１ｄ）は、傾斜検出用の加速度センサ（１ａ、１ｂ）および上下移動検出用の加速度センサ（１ｃ）の検出出力に基づいて、車両の水平方向における少なくとも一方向の加速度と上下方向の加速度の情報を示す信号を第２制御手段（５）に出力する。そして、第２制御手段（５）にて、車両の水平方向における少なくとも一方向の加速度と上下方向の加速度の情報に基づいて、警報手段（６）に向けて駆動信号を出力するという形態にできる。
【００１７】
一方、制御手段（１ｄ、５）を第１制御手段（１ｄ）および第２制御手段（５）を有した構成とし、第１制御手段（１ｄ）および傾斜検出用の加速度センサ（１ａ、１ｂ）によって傾斜センサ（１）を構成し、上下移動検出用の加速度センサ（７）を傾斜センサ（１）の外部に設けられたもので構成すると共に、該上下移動検出用の加速度センサ（７）の検出出力が第１制御手段（１ｄ）に入力されるようにすることもできる。
【００１８】
この場合、第１制御手段（１ｄ）にて、傾斜検出用の加速度センサ（１ａ、１ｂ）の検出出力に基づいて車両の傾斜を検出しときに、盗難の恐れがあることを示す信号を第２制御手段（５）に出力する。そして、第２制御手段（５）にて、傾斜検出用の加速度センサ（１ａ、１ｂ）の検出出力に基づいて、上下移動検出用の加速度センサ（１ｃ）の検出出力に基づいて車両の上下移動を検出していないければ、第１制御手段（１ｄ）が盗難の恐れがあることを示す信号を出力したときに警報手段（６）に向けて駆動信号を出力し、車両の上下移動を検出したときには、第１制御手段（１ｄ）が盗難の恐れがあることを示す信号が出力していたとしても警報手段（６）に向けて駆動信号を出力しないようにするという形態にできる。
【００１９】
さらに、この場合、第１制御手段（１ｄ）にて、車両の水平方向における少なくとも一方向の加速度と上下方向の加速度の情報を示す信号を第２制御手段（５）に出力する。そして、第２制御手段（５）にて、車両の水平方向における少なくとも一方向の加速度と上下方向の加速度の情報に基づいて、警報手段（６）に向けて駆動信号を出力するか否かを判定するという形態にできる。
【００２０】
なお、このように第１制御手段（１ｄ）から送られる信号が車両の上下移動を検出したことを示すものであるときには、第２制御手段（５）は傾斜センサ（１）とは異なる盗難センサ（３）で盗難の恐れを示す検出出力が出されていたとしても、警報が行われないようにすることができる。
【００２１】
本発明の第３の特徴によれば、上下移動検出用の加速度センサ（１ｃ、７）からの検出出力が第２制御手段（５）に入力されるようにし、第２制御手段（５）は、上下移動検出用の加速度センサ（１ｃ、７）からの検出出力に基づいて車両の上下移動を検出したときには、警報手段（６）による警報を出さないようにする。
【００２２】
このように、加速度センサ（１ｃ、７）の検出出力が直接第２制御手段（５）に入力される形態とすることもできる。例えば、車内ＬＡＮを通じて加速度センサ（７）の検出出力を直接第２制御手段（５）に入力することができる。このような加速度センサ（７）としては、サスペンション制御用のもの等を用いることができる。
【００２３】
なお、上記各手段の括弧内の符号は、後述する実施形態に記載の具体的手段との対応関係を示すものである。
【発明を実施するための最良の形態】
【００２４】
（第１実施形態）
以下、本発明の第１実施形態について説明する。図１は、車両盗難防止システムのブロック構成を示した図である。
【００２５】
図１に示されるように、車両盗難防止システムには、傾斜センサ１、ドアロック検出部２、侵入センサ３、盗難警報ＥＣＵ５およびホーン６などが備えられている。
【００２６】
傾斜センサ１は、３つの加速度センサ１ａ〜１ｃと判定用ＣＰＵ１ｄを備えた構成とされている。３つの加速度センサ１ａ〜１ｃのうちの２つは、車両の水平方向における直行する２方向、つまり車両の前後方向および左右方向の加速度を検出するためのものであり、従来から備えられているものである。３つの加速度センサ１ａ〜１ｃのうちの残る１つは、車両の上下方向（天地方向）の加速度を検出するためのものである。
【００２７】
図２は、傾斜センサ１の側面概略図である。この図の矢印で示したように、加速度センサ１ａは、車両の前後方向に発生する加速度を検出し、加速度センサ１ｃは、天地方向に発生する加速度を検出する。加速度センサ１ｂに関しては、加速度センサ１ａに隠れるため、図２中に記載していないが、加速度センサ１ｂは、車両の左右方向に発生する加速度（紙面垂直方向）の加速度を検出する。
【００２８】
したがって、加速度センサ１ａにより車両の前後方向への移動、加速度センサ１ｂにより車両の左右方向への移動、加速度センサ１ｃにより車両の上下方向への移動をそれぞれ検出することができる。
【００２９】
判定用ＣＰＵ１ｄは、各加速度センサ１ａ〜１ｃの検出出力を受け取り、内蔵されたＡ／Ｄコンバータを用いて、アナログ信号として示された加速度を物理値に変換する。そして、判定用ＣＰＵ１ｄは、加速度センサ１ａ、１ｂの検知出力から得た車両の前後方向もしくは左右方向の加速度の物理値に基づいて、車両の傾斜角の変化を求め、ジャッキアップによる車両盗難の恐れがあるか否かの判定を行う。また、判定用ＣＰＵ１ｄは、加速度センサ１ｃの検知出力から得た車両の上下方向の加速度の物理値に基づいて、車両が上下移動したか否かを判定する。
【００３０】
すなわち、機械式立体駐車場に車両を駐車した場合には、車両が車両を載せた籠ごと上下移動させられることがある。例えば、垂直循環式タワーパーキング、多層循環式タワーパーキング、エレベータスライド式タワーパーキング、二段・多段方式タワーパーキングなどのような機械式立体駐車場の場合には、車両が上下移動させられる。
【００３１】
このような場合、移動に伴って車両の前後方向もしくは左右方向の加速度が生じる可能性がある。しかしながら、機械式立体駐車場での車両の移動に伴って加速度が発生した場合には、実際にはジャッキアップの為に車両が傾斜したのではない。
【００３２】
このため、本実施形態では、車両の水平方向の加速度を検出する加速度センサ１ａ、１ｂに加えて、車両の上下方向の加速度を検出する加速度センサ１ｃも備え、判定用ＣＰＵ１ｄにて、車両の水平方向の加速度が発生した場合に、それがジャッキアップの為に発生したものであるか、それとも機械式立体駐車場に車両を駐車したために発生したものであるかを判別できるようにしている。そして、判定用ＣＰＵ１ｄは、車両盗難の恐れがあると判定した場合に、それを示す信号を盗難警報ＥＣＵ５に出力するようになっている。
【００３３】
また、判定用ＣＰＵ１ｄには、イグニッション（以下、ＩＧという）スイッチがオンされたときに、所定の電圧が印加されるようになっている。判定用ＣＰＵ１ｄは、この電圧が印加される端子の電位に基づいて、つまり、所定の電圧が印加されているか否かがＨｉ、Ｌｏｗで示されるため、これに基づいてＩＧスイッチのオンオフ状態が検出できるようになっている。
【００３４】
ドアロック検出部２は、ドアのロックおよびアンロックの状態を検出し、その状態を示すドアロック信号を出力するものである。例えば、ドアロック検出部２は、キーレスエントリシステムにおけるリモートキーを使用してドアのロックを行った場合など、ドアがロック状態とされたことを検出し、盗難警報ＥＣＵ５にドアのロックおよびアンロックの状態を伝える。例えば、図示しないボデーＥＣＵでドアロック・アンロック検知信号や、ドアロック用アクチュエータ（ソレノイド）へのオンオフ信号が扱われている場合には、それに基づいてドアのロックおよびアンロック状態を検出することができる。
【００３５】
侵入センサ３は、例えば赤外線探知機などによって構成されるもので、車室内への人の侵入を検出するものである。なお、ここでは、車両盗難防止システムに備えられるジャッキアップ以外の盗難手段の検知を行うものとして、この侵入センサ３を例に挙げたが、その他にも、ガラス割れセンサ等を備えた構成としても良い。
【００３６】
盗難警報ＥＣＵ５は、傾斜センサ１、ドアロック検出部２および侵入センサ３から送られてくる信号に基づいて、車両盗難の恐れがあることを検知し、ホーン６を駆動するものである。
【００３７】
具体的には、盗難警報ＥＣＵ５は、ドアロック検出部２のドアロック信号を受け取り、ドアがロック状態とされている場合、車両の盗難を警戒すべく、傾斜センサ１に対して盗難警戒に準備させるためのセキュリティオン信号を出力する。また、盗難警報ＥＣＵ５は、警戒信号を出力したのち、ドアがアンロック状態とされると、車両の盗難の警戒を解除すべく、傾斜センサ１に対して盗難警戒を解除させるセキュリティオフ信号を出力する。
【００３８】
したがって、傾斜センサ１に備えられた判定用ＣＰＵ１ｄは、セキュリティオン信号が入力されると、加速度センサ１ａ〜１ｃの検出出力に基づいて、車両の盗難の恐れがあるか否かの判定を行うことで車両の盗難に備え、セキュリティオフ信号が入力されるとそれを解除する。
【００３９】
そして、傾斜センサ１から盗難の恐れがあることを示す信号、侵入センサ３から人が車室内に侵入してきたことを示す信号などが入力されると、盗難警報ＥＣＵ５は、ホーン６を駆動するための駆動信号を出力する。
【００４０】
ホーン６は、盗難警報ＥＣＵ５の駆動信号に基づいて駆動され、音声によって車両が盗難される恐れがあることを報知するものである。
【００４１】
続いて、上記のように構成された車両盗難防止システムによる車両盗難警報の方法について説明する。図３に、傾斜センサ１の判定用ＣＰＵ１ｄが所定の演算周期毎に実行する車両盗難警報処理のフローチャートを示し、この図を参照して説明する。
【００４２】
まず、ステップ１００では、セキュリティオン信号を受け取ったか否かを判定する。この判定は、盗難警報ＥＣＵ５からのセキュリティオン信号が入力されたか否かに基づいて行われる。そして、セキュリティオン信号が入力されていればステップ１１０以降の処理に進み、セキュリティオン信号が入力されていなければ（セキュリティオフ信号が入力されていれば）、セキュリティオン信号が入力されるまでステップ１００の処理を繰り返す。
【００４３】
ステップ１１０では、加速度センサ１ａ〜１ｃの検出出力をＡ／Ｄコンバータで変換することで、車両の前後方向、左右方向および上下方向の加速度の物理値を求める。
【００４４】
そして、ステップ１２０に進み、ステップ１１０で求めた車両の前後方向および左右方向の加速度の物理値から、車両が傾斜したか否かを判定する。すなわち、ジャッキアップが行われた場合、車両の左右輪のいずれか一方、もしくは、両前輪と両後輪のいずれかを持ち上げるために、車体が傾くことになる。このため、車両の前後方向および左右方向の加速度の物理値の変化から、車両が傾斜したか否かを判定することができる。
【００４５】
なお、車両が傾斜したか否かは、予め、セキュリティオン信号が入力されたときの車両の前後方向および左右方向の加速度の物理値の初期値を記憶しておき、この初期値との差から検出することができる。この場合において、単に車体が揺らされた場合のように、車両の盗難ではなくても車両の前後方向もしくは左右方向の加速度が発生する可能性もあるが、単に車体が揺らされた場合には、車両の前後方向もしくは左右方向の加速度の物理値が最終的に初期値に戻るため、物理値の積分値が０となる。したがって、物理値の積分値も確認するようにすれば、より正確に車両が傾斜したか否かを判定することが可能となる。
【００４６】
このステップ１２０で否定判定された場合には、再び、上記処理を繰り返し、肯定判定された場合には、ステップ１３０に進む。
【００４７】
ステップ１３０では、ステップ１１０で求めた車両の上下方向の加速度の物理値から、車両の上下方向の加速度が変動したか否かを判定する。すなわち、機械式立体駐車場に車両を駐車してあるか否かを、車両の上下移動によって発生させられる上下方向の加速度に基づいて判定する。そして、車両が上下移動させられた場合には、上下方向の加速度の物理値が重力加速度９．８ｍ／ｓ2から変化し、上下移動分の加速度が重力加速度９．８ｍ／ｓ2から加算もしくは減算された値が、車両の上下方向の加速度の物理値として求められる。このため、車両の上下方向の加速度の物理値が変動したか否かにより、機械式立体駐車場に車両を駐車してあるか否かを判定することができるのである。
【００４８】
ここで肯定判定された場合には、盗難の恐れが無いため再び上記処理を繰り返し、否定判定された場合には、盗難の恐れがあるためステップ１４０に進む。
【００４９】
ステップ１４０では、警報処理を行う。この処理により、判定用ＣＰＵ１ｄから車両の盗難の恐れがあることを示す信号を出力する警報出力が為される。このため、盗難警報ＥＣＵ５は、この警報出力を受け取り、ホーン６を駆動するための駆動信号を出力し、ホーン６が警告音を発することで車両の盗難の予防を行うことが可能となる。
【００５０】
図４に、上記のような作動が行われた場合のタイミングチャートを示す。この図に示されるように、車両が上下方向に移動させられた場合に、加速度センサ１ａ、１ｂの検出出力に基づいて求めた車両の前後方向もしくは左右方向の加速度の物理値が変化することがある。これにより、車両の傾斜角が変動したことが判る。
【００５１】
しかしながら、このときには加速度センサ１ｃの検出出力に基づいて求めた車両の上下方向の加速度の物理値も変化することになる。このため、車両の上下方向の加速度の物理値が変化したような場合には、機械式立体駐車場に車両を駐車してあるものとして、仮に車両の前後方向もしくは左右方向の加速度の物理値が変化したとしても、ジャッキアップによるものでは無いと考え、警報を行わないようにすることができる。
【００５２】
以上説明したように、本実施形態の車両盗難防止システムによれば、車両の上下方向の加速度を検出できる加速度センサ１ｃを備え、この加速度センサ１ｃの検出出力から求められる車両の上下方向の加速度の物理値から、機械式立体駐車場に車両を駐車してあるか否かを求めるようにしている。そして、機械式立体駐車場による上下移動によって車両の上下方向の加速度が発生した場合には、車両の前後方向もしくは左右方向の加速度が発生したとしても、車両の盗難の恐れが無いものと判定するようにしている。
【００５３】
これにより、機械式立体駐車場内で車両が移動させられたときに、盗難の恐れがあるものとして誤警報を行ってしまうことを防止することが可能となる。
【００５４】
（第２実施形態）
本発明の第２実施形態について説明する。本実施形態の車両盗難防止システムの基本構造は、第１実施形態と同様であるため、第１実施形態と異なる部分についてのみ説明する。
【００５５】
図５は、本実施形態の車両盗難防止システムのブロック構成を示した図である。この図に示すように、本実施形態の車両盗難防止システムでは、サスペンション制御に用いられる加速度センサ７の検出出力を利用して、車両の上下方向の加速度を得るようにしている。
【００５６】
加速度センサ７の検出出力はサスペンション制御ＥＣＵ８に入力され、サスペンション制御に用いられるが、この加速度センサ７の検出出力が盗難警報ＥＣＵ５にも入力されるようにする。このような構造としても、上記第１実施形態と同様の効果を得ることが可能である。
【００５７】
ただし、この場合、傾斜センサ１の方では、加速度センサ１ａ、１ｂの検出出力に基づいて求めた車両の前後方向もしくは左右方向の加速度に基づいて警報出力を発生させることになり、盗難警報ＥＣＵ５で傾斜センサ１から出された警報出力が正しいか否かを加速度センサ７の検出出力に基づいて求めた車両の上下方向の加速度に基づいて判定し、ホーン６への駆動信号の出力を行うことになる。
【００５８】
すなわち、盗難警報ＥＣＵ５は、内蔵されたＡ／Ｄコンバータにより、加速度センサ７の検出出力、つまりアナログ信号として示された加速度を物理値に変換し、この物理値から車両が機械式立体駐車場に駐車しているか否かの判定を行う。そして、盗難警報ＥＣＵ５は、傾斜センサ１から警報出力が入力されたときに、車両の上下方向の加速度が変動したか否かを判定し、上下方向の加速度が変動していない場合にホーン６に対して駆動信号を出力することになる。
【００５９】
（第３実施形態）
本発明の第３実施形態について説明する。本実施形態の車両盗難防止システムは、第１実施形態に対し、判定用ＣＰＵ１ｄで行う車両盗難警報処理のみが異なり、その他に関しては同様であるため、異なる部分についてのみ説明する。
【００６０】
本実施形態では、盗難警報ＥＣＵ５からセキュリティオン信号が入力されたときに、判定用ＣＰＵ１ｄで盗難検知を行うものの、車両が機械式立体駐車場に駐車していることが判明した時点で、ドアがアンロック状態になるまで警報を行わないようにする。
【００６１】
図６は、傾斜センサ１の判定用ＣＰＵ１ｄが所定の演算周期毎に実行する車両盗難警報処理のフローチャートである。
【００６２】
まず、ステップ２００〜ステップ２３０において、上記図３に示すステップ１００〜１３０と同様の処理を行う。この場合において、ステップ２３０で車両の上下方向の加速度が変動したと判定された場合に、車両が機械式立体駐車場に駐車しているものとして、そのまま処理を完了させる。この場合、演算周期毎に車両盗難警報処理を実行することを止め、ドアがアンロック状態になるまで警報が行われないようにされる。
【００６３】
このようにすれば、車両が機械式立体駐車場に駐車しているときにまで車両の盗難検知を行わないで済むため、バッテリでの電力消費の低減を図ることが可能となる。
【００６４】
ただし、このような場合においても、上下移動検出用の加速度センサ７からの検出出力が一定時間上下方向の加速度を検出しなかった場合には警報を出すようにすることで、誤って上下移動が検出されたことによって警報が行われなくなることを防止することができる。
【００６５】
（他の実施形態）
上記第１実施形態では判定用ＣＰＵ１ｄ、第２実施形態では盗難警報ＥＣＵ５により、車両盗難警報処理を実行しているが、これらは便宜上車両盗難警報処理を行う制御手段を第１、第２制御手段という二つに分けてあるだけであり、これらが１つの制御手段で構成されていても良い。勿論、これらが２つの制御手段に分けられたままの状態で、これらが協同して車両盗難警報処理を行っていても構わない。
【００６６】
この場合、判定用ＣＰＵ１ｄから盗難警報ＥＣＵ５に向けて、車両盗難の恐れがあることを示す信号の代わりに、加速度センサ１ａ〜１ｃの検出出力から求められる車両の前後方向と左右方向および上下方向の加速度の情報（例えば物理値そのもの）を送るようにしても良い。そして、盗難警報ＥＣＵ５で、他の情報、例えばタイヤの空気圧検出装置やハイトセンサなどの検出結果を含めて最終的に警報を出すか否かを判定することもできる。
【００６７】
さらに、上下移動検出用の加速度センサ１ｃ、７を傾斜センサ１の内部もしくは外部に備える例を説明したが、外部に備えられる場合のみでなく内部に備えられる場合であっても、判定用ＣＰＵ１ｄから盗難警報ＥＣＵ５に向けて、傾斜検出用の加速度センサ１ａ、１ｂの検出出力に基づく盗難の恐れがある信号を送り、加速度センサ１ｃの検出出力そのもの又はそれから求められた加速度の物理値を盗難警報ＥＣＵ５に伝える形態としても構わない。この場合、盗難警報ＥＣＵ５は、盗難の恐れがある信号を受け取ったときに、加速度センサ１ｃの検出出力そのもの又はそれから求められた加速度の物理値に基づいて車両の上下移動が検出されたか否かを判定し、警報を出すべきか否かを判定することになる。
【００６８】
また、侵入センサ４にて車室内への侵入が検出されたとしても、機械式立体駐車場内に車両が駐車されていることが検出されていれば、警報が出されないようにガードしても良い。
【００６９】
また、上記第２実施形態では、盗難警報ＥＣＵ５に加速度センサ７の検出出力が入力されるようにしているが、判定用ＣＰＵ１ｄに入力されるようにしても良い。この場合には、第１実施形態と同様に、判定用ＣＰＵ１ｄによって車両盗難警報処理を実行することが可能となる。
【００７０】
なお、各図中に示したステップは、各種処理を実行する手段に対応するものである。例えば、ホーン６は警報手段に相当し、ドアロック検出部２は、ロック状態検出手段に相当する。
【図面の簡単な説明】
【００７１】
【図１】本発明の第１実施形態における車両盗難防止システムのブロック構成を示した図である。
【図２】図１に示す車両盗難防止システムに備えられた傾斜センサ１の側面概略図である。
【図３】傾斜センサ１の判定用ＣＰＵ１ｄが所定の演算周期毎に実行する車両盗難警報処理のフローチャートである。
【図４】加速度センサ１ａ〜１ｃの検出出力に基づいて求めた車両の前後方向もしくは左右方向の加速度と車両の上下方向の加速度の変化を示したタイミングチャートである。
【図５】本発明の第２実施形態における車両盗難防止システムのブロック構成を示した図である。
【図６】本発明の第３実施形態における車両盗難防止システムに備えられた傾斜センサ１の判定用ＣＰＵ１ｄが所定の演算周期毎に実行する車両盗難警報処理のフローチャートである。
【符号の説明】
【００７２】
１…傾斜センサ、１ａ〜１ｃ…加速度センサ、２…ドアロック検出部、３…ＩＧ検出部、４…侵入センサ、５…盗難警報ＥＣＵ、６…ホーン、７…加速度センサ、８…サスペンション制御ＥＣＵ。
【図１】
2007099189.tif 000003
【図２】
2007099189.tif 000004
【図３】
2007099189.tif 000005
【図４】
2007099189.tif 000006
【図５】
2007099189.tif 000007
【図６】
2007099189.tif 000008